(57)【要約】【課題】  ＩＰｖ６ネットワーク及びＩＰｖ４ネットワークが共存するネットワークにおけるルーティングにおいてＩＰｖ６ネットワークのトポロジー及びＩＰｖ４ネットワークのトポロジーを共に考慮して経路を選択できるルーティング装置及び方法を提供する。【解決手段】  ネイティブＩＰｖ６ネットワーク及び６ｔｏ４ネットワークを経由する経路を選択するための、ネイティブＩＰｖ６ネットワークと６ｔｏ４ネットワークとを接続する６ｔｏ４リレールータにおけるルーティング装置であって、ネイティブＩＰｖ６ネットワークのルーティング情報を収集するルーティング情報収集部と、収集したルーティング情報を含むメッセージを生成するメッセージ生成部と、生成されたメッセージを６ｔｏ４ネットワークの６ｔｏ４ルータに転送するメッセージ転送部とを備える。【選択図】  図５
2006203897.tif 000002
【特許請求の範囲】
【請求項１】
ネイティブＩＰｖ６ネットワークと６ｔｏ４ネットワークとを経由する経路を選択するための、前記ネイティブＩＰｖ６ネットワークと前記６ｔｏ４ネットワークとを接続する６ｔｏ４リレールータにおけるルーティング装置であって、
前記ネイティブＩＰｖ６ネットワークのルーティング情報を収集するルーティング情報収集部と、
収集した前記ネイティブＩＰｖ６ネットワークのルーティング情報を含むメッセージを生成するメッセージ生成部と、
前記生成されたメッセージを前記６ｔｏ４ネットワークの６ｔｏ４ルータに転送するメッセージ転送部と、
を備えることを特徴とする６ｔｏ４ネットワークのためのルーティング装置。
【請求項２】
前記ネイティブＩＰｖ６ネットワークのルーティング情報の収集は、ＩＧＰ（Ｉｎｔｅｒｉｏｒ  Ｇａｔｅｗａｙ  Ｐｒｏｔｏｃｏｌ）により行われることを特徴とする請求項１に記載の６ｔｏ４ネットワークのためのルーティング装置。
【請求項３】
前記ＩＧＰは、ｉＢＧＰ（Ｉｎｔｅｒｎａｌ  Ｂｏｒｄｅｒ  Ｇａｔｅｗａｙ  Ｐｒｏｔｏｃｏｌ）であることを特徴とする請求項２に記載の６ｔｏ４ネットワークのためのルーティング装置。
【請求項４】
前記メッセージ生成部が生成するメッセージは、拡張されたＢＧＰメッセージであることを特徴とする請求項１に記載の６ｔｏ４ネットワークのためのルーティング装置。
【請求項５】
前記拡張されたＢＧＰメッセージは、前記ネイティブＩＰｖ６ネットワークのルーティング情報をさらに含むＢＧＰ ＵＰＤＡＴＥメッセージを含むことを特徴とする請求項４に記載の６ｔｏ４ネットワークのためのルーティング装置。
【請求項６】
前記ＢＧＰ ＵＰＤＡＴＥメッセージは、前記ネイティブＩＰｖ６ネットワークのルーティング情報収集のために使われたルーティングプロトコルの種類を示す情報をさらに含むことを特徴とする請求項５に記載の６ｔｏ４ネットワークのためのルーティング装置。
【請求項７】
ネイティブＩＰｖ６ネットワークと６ｔｏ４ネットワークとを経由する経路を選択するための、前記６ｔｏ４ネットワークに含まれる６ｔｏ４ルータにおけるルーティング装置であって、
前記６ｔｏ４ネットワークのルーティング情報を収集するルーティング情報収集部と、  前記ネイティブＩＰｖ６ネットワークと前記６ｔｏ４ネットワークとを接続する６ｔｏ４リレールータから前記ＩＰｖ６ネットワークのルーティング情報を受信するメッセージ受信部と、
前記収集した６ｔｏ４ネットワークのルーティング情報と前記受信したネイティブＩＰｖ６ネットワークのルーティング情報を使用して、前記ネイティブＩＰｖ６ネットワークと６ｔｏ４ネットワークとが接続したネットワークに対する経路選択を行う経路設定部と、
を備えることを特徴とする６ｔｏ４ネットワークのためのルーティング装置。
【請求項８】
前記ネイティブＩＰｖ６ネットワークのルーティング情報は、前記ネイティブＩＰｖ６で設定可能な経路と、前記各経路のメトリック値とを含むことを特徴とする請求項７に記載の６ｔｏ４ネットワークのためのルーティング装置。
【請求項９】
前記経路設定部は、前記ネイティブＩＰｖ６ネットワーク及び前記６ｔｏ４ネットワークを経由する、最小のメトリック値を有する経路を選択することを特徴とする請求項８に記載の６ｔｏ４ネットワークのためのルーティング装置。
【請求項１０】
ネイティブＩＰｖ６ネットワークと６ｔｏ４ネットワークとを経由する経路選択が行われるネットワークであって、
前記ネイティブＩＰｖ６ネットワークと前記６ｔｏ４ネットワークとの境界に位置し、前記ネイティブ６ｔｏ４ネットワークのルーティング情報を収集し、該収集したルーティング情報を送信する６ｔｏ４リレールータと、
前記６ｔｏ４ネットワークに位置し、前記６ｔｏ４ネットワークのルーティング情報を収集し、前記収集した６ｔｏ４ネットワークのルーティング情報と前記６ｔｏ４リレールータから受信したネイティブ６ｔｏ４ネットワークのルーティング情報を使用して、前記ネイティブＩＰｖ６ネットワークと前記６ｔｏ４ネットワーク間のトラフィック転送のための経路を選択する６ｔｏ４ルータと、
を備えることを特徴とするネットワーク。
【請求項１１】
前記６ｔｏ４リレールータは、ＩＧＰを使用して前記ネイティブＩＰｖ６ネットワークのルーティング情報を収集することを特徴とする請求項１０に記載のネットワーク。
【請求項１２】
前記６ｔｏ４リレールータは、ＢＧＰを使用して前記収集したネイティブＩＰｖ６ネットワークのルーティング情報を前記６ｔｏ４ルータに転送することを特徴とする請求項１１に記載のネットワーク。
【請求項１３】
ネイティブＩＰｖ６ネットワークと６ｔｏ４ネットワークとを経由する経路を選択するためのルーティング方法であって、
前記ネイティブＩＰｖ６ネットワークのルーティング情報を収集する第１の過程と、
前記６ｔｏ４ネットワークのルーティング情報を収集する第２の過程と、
前記ネイティブＩＰｖ６ネットワークのルーティング情報と前記６ｔｏ４ネットワークのルーティング情報とを使用して、前記ネイティブＩＰｖ６ネットワーク及び前記６ｔｏ４ネットワークを経由する経路を選択する第３の過程と、
を有することを特徴とする６ｔｏ４ネットワークのためのルーティング方法。
【請求項１４】
前記第１の過程のネイティブＩＰｖ６ネットワークのルーティング情報収集は、前記ネイティブＩＰｖ６ネットワークと前記６ｔｏ４ネットワークとを接続する６ｔｏ４リレールータが、ＩＰｖ６ルーティングプロトコルを使用して行うことを特徴とする請求項１３に記載の６ｔｏ４ネットワークのためのルーティング方法。
【請求項１５】
前記ルーティング情報収集は、ＩＧＰを使用して行うことを特徴とする請求項１４に記載の６ｔｏ４ネットワークのためのルーティング方法。
【請求項１６】
前記第２の過程の６ｔｏ４ネットワークのルーティング情報収集は、前記６ｔｏ４ネットワークに含まれる６ｔｏ４ルータがＩＰｖ４ルーティングプロトコルを使用して行うことを特徴とする請求項１３に記載の６ｔｏ４ネットワークのためのルーティング方法。
【請求項１７】
前記第３の過程の経路選択は、前記６ｔｏ４ネットワークに含まれた６ｔｏ４ルータが行うことを特徴とする請求項１３に記載の６ｔｏ４ネットワークのためのルーティング方法。
【請求項１８】
前記第３の過程で使われるネイティブＩＰｖ６ネットワークのルーティング情報は、前記６ｔｏ４ルータが６ｔｏ４リレールータから受信した情報であることを特徴とする請求項１７に記載の６ｔｏ４ネットワークのためのルーティング方法。
【請求項１９】
前記ネイティブＩＰｖ６ネットワークのルーティング情報は、前記６ｔｏ４ルータが前記６ｔｏ４リレールータから受信するＢＧＰ ＵＰＤＡＴＥメッセージに含まれることを特徴とする請求項１７に記載の６ｔｏ４ネットワークのためのルーティング方法。
【発明の詳細な説明】
【技術分野】
【０００１】
本発明は、ＩＰｖ６（Ｉｎｔｅｒｎｅｔ  Ｐｒｏｔｏｃｏｌ  ｖｅｒｓｉｏｎ  ６）ネットワーク及びＩＰｖ４（Ｉｎｔｅｒｎｅｔ  Ｐｒｏｔｏｃｏｌ  ｖｅｒｓｉｏｎ  ４）ネットワークが共存するネットワークにおいて最適の転送経路を選択できるようにするルーティング装置及び方法に関する。
【背景技術】
【０００２】
ＩＰｖ６プロトコルは、３２ビットのアドレス体系を有するＩＰｖ４プロトコルで発生するアドレス不足という問題点を解決するために提案されたもので、１２８ビットのアドレス体系を有する次世代インターネットプロトコルである。現在のネットワークは、ＩＰｖ４ネットワークからＩＰｖ６ネットワークに変化する過渡期にあり、ＩＰｖ４ネットワーク及びＩＰｖ６ネットワークが共存している。したがって、現在は、ＩＰｖ６ネットワークとＩＰｖ４ネットワークとが接続するネットワークが存在し、ＩＰｖ６トラフィックがＩＰｖ４ネットワークを介して転送されなければならない場合もある。
【０００３】
ＩＰｖ６ネットワークとＩＰｖ４ネットワークとが接続する、すなわちＩＰｖ６パケットがＩＰｖ４ネットワークを介して伝達されるネットワークを「６ｔｏ４ネットワーク（６ｔｏ４  ｎｅｔｗｏｒｋ）」といい、ＩＰｖ６トラフィックをＩＰｖ４ネットワークを介して伝達するために規定された技術標準を、６ｔｏ４トランジションプロトコル（６ｔｏ４  ｔｒａｎｓｉｔｉｏｎ  ｐｒｏｔｏｃｏｌ）という。ＩＰｖ４ネットワークを介したＩＰｖ６トラフィックの転送は、該当トラフィックに対するトンネリング（ｔｕｎｎｅｌｉｎｇ）とルーティングにより行われることができる。これに対するシナリオは、ＲＦＣ  ３０５６  Ｃｏｎｎｅｃｔｉｏｎ  ｏｆ  ＩＰｖ６  Ｄｏｍａｉｎｓ  ｖｉａ  ＩＰｖ４  Ｃｌｏｕｄｓに述べられている。一方、６ｔｏ４ネットワークとは異なり、ＩＰｖ６ルータなどのＩＰｖ６ネットワーク構成要素だけで構成されるネットワークを「ネイティブＩＰｖ６ネットワーク」と言う。
【０００４】
図１Ａは、６ｔｏ４ネットワークとネイティブＩＰｖ６ネットワークとが接続したネットワークを示す図である。
【０００５】
図１Ａに示されるように、６ｔｏ４ネットワークの境界には、６ｔｏ４ルータ１２０または６ｔｏ４リレールータ１４０が位置する。
【０００６】
６ｔｏ４ルータ１２０は、ＩＰｖ６方式のホスト１００−１または１００−２をＩＰｖ４ネットワークに接続するために使われる。すなわち、６ｔｏ４ルータ１２０は、ＩＰｖ４ネットワークを経由する、目的地とのトンネリングによりＩＰｖ６方式のホスト１００−１または１００−２が転送したり、受信するＩＰｖ６パケットがＩＰｖ４ネットワークを介して転送されることができるようにする。図１Ａに示されたようなＩＰｖ６パケットが経由するＩＰｖ４ネットワークが６ｔｏ４ネットワークである。
【０００７】
６ｔｏ４リレールータ１４０は、６ｔｏ４ネットワークとネイティブＩＰｖ６ネットワークとを接続するために使われる。換言すれば、６ｔｏ４リレールータ１４０は、６ｔｏ４ネットワークとネイティブＩＰｖ６ネットワークとの境界に位置すると表現できる。
【０００８】
ＩＰｖ６パケットを転送するための、６ｔｏ４ネットワークを経由するトンネルは、６ｔｏ４ルータ１２０と６ｔｏ４リレールータ１４０との間に設定される。６ｔｏ４リレールータ１４０以後の、ネイティブＩＰｖ６ネットワークにおけるパケット転送は、ＩＰｖ６ルーティングプロトコルを使用して行われる。
【０００９】
図１Ａに示すようなネットワークにおいて、６ｔｏ４ネットワークのホストとネイティブＩＰｖ６ネットワークのホスト間の通信のための動的ルーティングは、次のように行うことができる。
【００１０】
６ｔｏ４ サイト（ＳＩＴＥ）の全ての６ｔｏ４ルータ１２０は、ｉＢＧＰ（ｉｎｔｅｒｎａｌ  Ｂｏｒｄｅｒ  Ｇａｔｅｗａｙ  Ｐｒｏｔｏｃｏｌ）を用いて、６ｔｏ４リレールータ１４０からネイティブＩＰｖ６ネットワークのトポロジーに応じて選択された経路情報を受信する。これにより、６ｔｏ４ルータ１２０は、ネイティブＩＰｖ６ネットワークのトポロジーを反映して経路選択を行うことができる。
【００１１】
ところが、６ｔｏ４ルータ１２０が、６ｔｏ４リレールータ１４０から受信する経路情報は、ＢＧＰプロトコル自体が自分のＡＳ（Ａｕｔｏｎｏｍｏｕｓ  Ｓｙｓｔｅｍ、自律システム）まで到達するまでのトポロジー（ｔｏｐｏｌｏｇｙ）情報を使用して選択された経路情報であるから、このときに選択される経路には、ＩＰｖ４ネットワークを経由する、６ｔｏ４ルータ１２０から６ｔｏ４リレールータ１４０までのトポロジー情報は考慮されていないという問題がある。これについて図１Ａを参照して説明する。
【００１２】
図１Ａに示された各構成要素は、次の表１のようなネットワークアドレスを有すると仮定する。表１は、図１Ａに示された構成要素のうち後述する一部の構成要素に対するネットワークアドレスだけを表している。
【００１３】
【表１】
2006203897.tif 000003
【００１４】
図１Ａの第１の６ｔｏ４ルータ１２０−１及び第２の６ｔｏ４ルータ１２０−２がルーティングプロトコルにより確保する第３のホスト１００−３までの経路選択のためのルーティング情報の例を、次の表２及び表３に各々表した。ここで、表２及び表３に表されたメトリック（ｍｅｔｒｉｃ）値は、図１Ａのネットワークにおいて全てのルータ間の移動に同じく“１”のメトリック値が割り当てられると仮定した場合に計算される値である。
【００１５】
【表２】
2006203897.tif 000004
【００１６】
表２は、第１のホスト１００−１から第３のホスト１００−３までの経路選択時に第１の６ｔｏ４ルータ１２０−１が獲得するルーティング情報の一例である。表２を参照して、第１のホスト１００−１から第３のホスト１００−３までのトラフィック転送のための経路選択について説明する。
【００１７】
まず、ＩＰｖ６  ＲＩＢ（Ｒｏｕｔｉｎｇ  Ｉｎｆｏｒｍａｔｉｏｎ  Ｂａｓｅ）項目を見れば、第１の６ｔｏ４リレールータ１４０−１と、第２の６ｔｏ４リレールータ１４０−２のうち、第１の６ｔｏ４リレールータ１４０−１が選択されていることが分かる。これは、ネイティブＩＰｖ６ネットワーク内においてルーティングプロトコルにより選択されたものであるが、第１の６ｔｏ４リレールータ１４０−１−第５のＩＰｖ６ルータ１５０−５−第３のＩＰｖ６ルータ１５０−３−第２のＩＰｖ６ルータ１５０−２の経路が、例えば、メトリック値を“４”を有する場合（上記経路に対してルータが１つ追加された場合）の第２の６ｔｏ４リレールータ１４０−２−第６のＩＰｖ６ルータ１５０−６−第４のＩＰｖ６ルータ１５０−４−第３のＩＰｖ６ルータ１５０−３−第２のＩＰｖ６ルータ１５０−２の経路よりも小さいメトリック値“３”を有するからである。すなわち、メトリック値が最も小さい経路を選択している。
【００１８】
このようにネイティブＩＰｖ６ネットワークにおけるルーティング結果によって、第１の６ｔｏ４リレールータ１４０−１がデフォルト値として選択されるので、６ｔｏ４ネットワーク内では、トポロジーに関係なく、第１の６ｔｏ４リレールータ１４０−１への経路選択が行われる。
【００１９】
このように経路選択が行われる場合、第１のホスト１００−１から第３のホスト１００−３までの経路選択では、問題が発生しない。第１の６ｔｏ４ルータ１２０−１から第１の６ｔｏ４リレールータ１４０−１までのメトリック値と、第１の６ｔｏ４ルータ１２０−１から第２の６ｔｏ４リレールータ１４０−２までのメトリック値が共に“３”であって、同一であるからである。すなわち、第１のホスト１００−１から第３のホスト１００−３までの経路では、第１の６ｔｏ４リレールータ１４０−１を経由する経路が、第２の６ｔｏ４リレールータ１４０−２を経由する経路より少ないメトリック値を有するので、前述したように、第１の６ｔｏ４リレールータ１４０−１が選択されることが好ましい。しかしながら、これとは異なって、従来技術に係るルーティングは、メトリック値がより大きい、非効率的な経路を選択するという問題点が生じる場合がある。
【００２０】
従来技術のルーティングにより問題が発生する場合を、次の表３を参照して説明する。
【００２１】
【表３】
2006203897.tif 000005
【００２２】
表３は、第２のホスト１００−２から第３のホスト１００−３までの経路選択時に第２の６ｔｏ４ルータ１２０−２が獲得するルーティング情報の一例である。ここでも、第１の６ｔｏ４リレールータ１４０−１が選択された。ところが、この場合には、第２の６ｔｏ４ルータ１２０−２から第１の６ｔｏ４リレールータ１４０−１までのメトリック値が“４”であり、第２の６ｔｏ４ルータ１２０−２から第２の６ｔｏ４リレールータ１４０−２までのメトリック値が“２”であるから、従来技術により選択された経路である、第１の６ｔｏ４リレールータ１４０−１を経由する経路は、選択されない経路である第２の６ｔｏ４リレールータ１４０−２を経由する経路より大きいメトリック値を有する。
【００２３】
すなわち、従来技術に係るルーティングは、６ｔｏ４ネットワークとネイティブＩＰｖ６ネットワークとの接続時に、ネイティブＩＰｖ６ネットワークのトポロジーだけを考慮してトラフィックの転送経路を選択し、６ｔｏ４ネットワークのトポロジーを考慮しないので、効率的なルーティングが行われない。
【発明の開示】
【発明が解決しようとする課題】
【００２４】
本発明の目的は、ＩＰｖ６ネットワーク及びＩＰｖ４ネットワークが共存するネットワークにおけるルーティングにおいてＩＰｖ６ネットワークのトポロジー及びＩＰｖ４ネットワークのトポロジーを共に考慮して経路を選択できるルーティング装置及び方法を提供することにある。
【課題を解決するための手段】
【００２５】
上記目的を達成するために、本発明の一態様に係る６ｔｏ４ネットワークのためのルーティング装置は、ネイティブＩＰｖ６ネットワークと６ｔｏ４ネットワークを経由する経路を選択するための、ネイティブＩＰｖ６ネットワークと６ｔｏ４ネットワークとを連結する６ｔｏ４リレールータにおけるルーティング装置であって、ネイティブＩＰｖ６ネットワークのルーティング情報を収集するルーティング情報収集部と、収集したルーティング情報を含むメッセージを生成するメッセージ生成部と、生成されたメッセージを６ｔｏ４ネットワークの６ｔｏ４ルータに転送するメッセージ転送部と、を備えることを特徴とする。
【００２６】
また、本発明の他の態様に係る６ｔｏ４ネットワークのためのルーティング装置は、ネイティブＩＰｖ６ネットワーク及び６ｔｏ４ネットワークを経由する経路を選択するための、６ｔｏ４ネットワークに含まれる６ｔｏ４ルータにおけるルーティング装置であって、６ｔｏ４ネットワークのルーティング情報を収集するルーティング情報収集部と、ネイティブＩＰｖ６ネットワークと６ｔｏ４ネットワークとを連結する６ｔｏ４リレールータからＩＰｖ６ネットワークのルーティング情報を受信するメッセージ受信部と、収集した６ｔｏ４ネットワークのルーティング情報と受信したネイティブＩＰｖ６ネットワークのルーティング情報を使用して、ネイティブＩＰｖ６ネットワークと６ｔｏ４ネットワークとが連結されたネットワークに対する経路選択を行う経路設定部と、を備えることを特徴とする。
【００２７】
また、本発明のさらに他の態様に係るネットワークは、ネイティブＩＰｖ６ネットワーク及び６ｔｏ４ネットワークを経由する経路選択が行われるネットワークであって、ネイティブＩＰｖ６ネットワークと６ｔｏ４ネットワークとの境界に位置し、ネイティブ６ｔｏ４ネットワークのルーティング情報を収集し、収集したルーティング情報を送信する６ｔｏ４リレールータと、６ｔｏ４ネットワークに位置し、６ｔｏ４ネットワークのルーティング情報を収集し、収集した６ｔｏ４ネットワークのルーティング情報と６ｔｏ４リレールータから受信したネイティブ６ｔｏ４ネットワークのルーティング情報を使用して、ネイティブＩＰｖ６ネットワークと６ｔｏ４ネットワーク間のトラフィック転送のための経路を選択する６ｔｏ４ルータと、を備えることを特徴とする。
【００２８】
また、本発明のさらに他の態様に係る６ｔｏ４ネットワークのためのルーティングに使われるメッセージは、ネイティブＩＰｖ６ネットワーク及び６ｔｏ４ネットワークを経由する経路を選択するための、６ｔｏ４ルータと６ｔｏ４リレールータ間のルーティング情報転送のために使われるメッセージであって、６ｔｏ４リレールータが収集した、ネイティブＩＰｖ６ネットワークのルーティング情報をさらに含むＢＧＰ ＵＰＤＡＴＥメッセージであることを特徴とする。
【００２９】
また、本発明のさらに他の態様に係る６ｔｏ４ネットワークのためのルーティング方法は、ネイティブＩＰｖ６ネットワーク及び６ｔｏ４ネットワークを経由する経路を選択するためのルーティング方法であって、ネイティブＩＰｖ６ネットワークのルーティング情報を収集する第１の過程と、６ｔｏ４ネットワークのルーティング情報を収集する第２の過程と、ネイティブＩＰｖ６ネットワークのルーティング情報及び６ｔｏ４ネットワークのルーティング情報を使用して、ネイティブＩＰｖ６ネットワーク及び６ｔｏ４ネットワークを経由する経路を選択する第３の過程と、を備えることを特徴とする。
【発明の効果】
【００３０】
本発明によれば、６ｔｏ４ネットワーク上で、ＩＰｖ６ネイティブネットワーク上のＩＰｖ６ホストと動的ルーティングプロトコルを用いて経路を選択する場合に、ＩＰｖ６ネットワークのトポロジー及びＩＰｖ４ネットワークのトポロジーを共に考慮した経路選択を行うことができるようにし、その結果、６ｔｏ４ネットワークとＩＰｖ６ネイティブネットワークとの間に効率的なルーティングを行うことが可能となる。
【発明を実施するための最良の形態】
【００３１】
以下、添付の図面を参照して、本発明の好適な実施例を詳細に説明する。なお、本発明の要旨を不明確にする公知の機能及び構成についての詳細な説明は省略する。
【００３２】
一方、以下の本発明の説明では、添付の図面に示された構成要素に参照符号を付加するにあたって、同じく動作する構成要素が複数個存在する場合には、「第１のホスト１００−１」、「第２のホスト１００−２」のように表記する。そして、これら構成要素を称するにあたって、構成要素の各々を区分する必要がある時には、「第１のホスト１００−１」、「第２のホスト１００−２」に区分して称し、各々の構成要素を区分する必要がない時には、単に「ホスト１００」と総称する。
【００３３】
本実施形態によるルーティング装置及び方法は、既存のＢＧＰ（Ｂｏｒｄｅｒ  Ｇａｔｅｗａｙ  Ｐｒｏｔｏｃｏｌ）を拡張し、拡張されたＢＧＰ（ネイティブＩＰｖ６ネットワークのルーティング情報をさらに含むＢＧＰであり、本実施形態では、拡張されたＢＧＰの一例として、ネイティブＩＰｖ６ネットワークのルーティング情報をさらに含むＢＧＰ  ＵＰＤＡＴＥメッセージを示している）を使用して収集したネイティブＩＰｖ６ネットワークのトポロジーと６ｔｏ４ネットワークで収集した６ｔｏ４ネットワークのトポロジーを共に考慮して、最適の経路選択を行うことを特徴とする。
【００３４】
本実施形態では、ＲＦＣ  ３０５６  Ｃｏｎｎｅｃｔｉｏｎ  ｏｆ  ＩＰｖ６  Ｄｏｍａｉｎｓ  ｖｉａ  ＩＰｖ４  Ｃｌｏｕｄｓに述べられている６ｔｏ４ルータと６ｔｏ４リレールータを基本構成要素として使用した。本実施形態では、６ｔｏ４ルータと６ｔｏ４リレールータ間のＢＧＰ及びＩＧＰ（Ｉｎｔｅｒｎａｌ  Ｇａｔｅｗａｙ  Ｐｒｏｔｏｃｏｌ）機能に、本実施形態で提案する機能を追加するものである。
【００３５】
図１Ａは、本実施形態の最適の経路を選択できるルーティング装置が適用されるネットワークの構成図である。
【００３６】
図１Ａに示されるように、本実施形態は、ＩＰｖ６パケットがＩＰｖ４ネットワークを介して転送されるネットワークである６ｔｏ４ネットワークとネイティブＩＰｖ６ネットワークとが接続するネットワークに適用することができる。
【００３７】
図１Ａのネットワークは、大きく、６ｔｏ４ネットワークと、ネイティブＩＰｖ６ネットワークと、に分けることができる。各々のネットワークは、少なくとも１つのルータを含み、ルータを経由する転送経路を介した通信サービスをホストに提供する。
【００３８】
これらネットワークのうち、６ｔｏ４ネットワークは、少なくとも１つの６ｔｏ４ルータ１２０、少なくとも１つのＩＰｖ４ルータ１３０及び少なくとも１つの６ｔｏ４リレールータ１４０を含み、６ｔｏ４ルータ１２０を介してホスト１００−１または１００−２に接続することができる。ホスト１００−１または１００−２は、ＩＰｖ４ネットワークを介してＩＰｖ６トラフィックを転送しようとするホストであって、“２００２：”から始まるアドレスを有することができる。
【００３９】
図１Ａで、ネイティブＩＰｖ６ネットワークにおけるトラフィック転送は、通常、ＩＰｖ６ルーティングにより行われ、６ｔｏ４ネットワークにおけるトラフィック転送は、トンネリングにより行われる。図１Ａで、ＩＰｖ４ネットワークを介したＩＰｖ６トラフィックの転送のためのトンネルは、６ｔｏ４ルータ１２０と６ｔｏ４リレールータ１４０との間に設定される。
【００４０】
６ｔｏ４リレールータ１４０は、６ｔｏ４ネットワークのホスト１００−１または１００−２と、ネイティブＩＰｖ６ネットワークのホスト１００−３との間のゲートウェイ機能を行う。６ｔｏ４リレールータ１４０は、６ｔｏ４ネットワークがネイティブＩＰｖ６ネットワークに接続され得るようにする。
【００４１】
特に、本実施形態で、６ｔｏ４リレールータ１４０は、ＩＧＰ（Ｉｎｔｅｒｉｏｒ  Ｇａｔｅｗａｙ  Ｐｒｏｔｏｃｏｌ）などのルーティングプロトコルを使用してネイティブＩＰｖ６ネットワークのトポロジーを反映したルーティング情報を収集することができる。ＢＧＰは、パスベクトル型の経路プロトコルであって、ＥＧＰ（Ｅｘｔｅｒｎａｌ  Ｇａｔｅｗａｙ  Ｐｒｏｔｏｃｏｌ）またはＩＧＰの両方ともに使うことができる。特に、ＩＧＰに使われるＢＧＰをｉＢＧＰと称することがある。
【００４２】
６ｔｏ４リレールータ１４０が、ネイティブＩＰｖ６ネットワークのルーティング情報を確認するために使用するルーティングプロトコルであるＢＧＰは、ＩＰｖ６ネットワークにおいて使用することができるように構成されたものであって、ＲＦＣ  ２８５８、ＲＦＣ  ２５４５などでその具体的な情報を確認することができる。一方、ＢＧＰの基本プロトコルは、ＲＦＣ  １７７１で確認することができる。ここでは、各々のプロトコルについての具体的な説明は省略する。
【００４３】
６ｔｏ４リレールータ１４０は、このように収集したネイティブＩＰｖ６ネットワークのルーティング情報及び使われたルーティングプロトコルなどの情報を、６ｔｏ４ルータ１２０に転送する。このような機能を行うために、６ｔｏ４リレールータ１４０は、図１Ｂに示すように、ネイティブＩＰｖ６ネットワークのルーティング情報を収集するルーティング情報収集部と、収集したルーティング情報を含むメッセージを生成するメッセージ生成部と、作成されたメッセージを６ｔｏ４ルータに転送するためのメッセージ転送部とから構成されたルーティング装置を備えることができる。一方、ルーティング装置は、ルーティング情報またはルーティング情報を使用して選択された経路情報を格納するための格納部をさらに備えることができる。この際、これらの情報は、一般的に、テーブル形態で格納される。
【００４４】
６ｔｏ４ルータ１２０は、６ｔｏ４ネットワークのトラフィックを、ＩＰｖ４ネットワークを用いて転送するためにトンネリング及びデトンネリング機能を行う。６ｔｏ４ルータ１２０は、ｉＢＧＰ（ｉｎｔｅｒｎａｌ  Ｂｏｒｄｅｒ  Ｇａｔｅｗａｙ  Ｐｒｏｔｏｃｏｌ）方式により６ｔｏ４リレールータ１４０からネイティブＩＰｖ６ネットワーク上のルーティング情報を受信することができる。
【００４５】
６ｔｏ４ルータ１２０は、６ｔｏ４リレールータ１４０から受信したルーティング情報を使用して６ｔｏ４ネットワーク及びネイティブＩＰｖ６ネットワークを経由するトラフィック転送のためのトンネリングを行うことができる。もちろん、６ｔｏ４ルータ１２０は、ＩＧＰなどのルーティングプロトコルを使用して６ｔｏ４ネットワークのルーティング情報を収集し、収集したルーティング情報を使用して６ｔｏ４ネットワークにおける経路を選択することができる。６ｔｏ４ルータ１２０は、６ｔｏ４リレールータ１４０から受信したネイティブＩＰｖ６ネットワークのルーティング情報と自分が収集した６ｔｏ４ネットワークのルーティング情報を使用して、トンネリングのための目的地探索（ｓｅａｒｃｈｉｎｇ）を行う。
【００４６】
本実施形態の６ｔｏ４ルータ１２０は、図１Ｃに示すように、６ｔｏ４リレールータ１４０からネイティブＩＰｖ６ネットワークのルーティング情報を含むメッセージを受信するメッセージ受信部と、６ｔｏ４ネットワークのルーティング情報を収集するルーティング情報収集部と、６ｔｏ４リレールータ１４０から受信したネイティブＩＰｖ６ネットワークのルーティング情報とルーティング情報収集部が収集した６ｔｏ４ネットワークのルーティング情報を使用してネイティブＩＰｖ６ネットワーク及び６ｔｏ４ネットワークを経由する経路を選択する経路設定部とから構成されるルーティング装置を備えることができる。
【００４７】
６ｔｏ４ルータ１２０の経路設定部は、ネイティブＩＰｖ６ネットワーク及び６ｔｏ４ネットワークを経由する選択可能な経路のうち、そのメトリック値が最小となる経路を選択する。
【００４８】
一方、ルーティング装置は、ルーティング情報及びルーティング情報を使用して選択された経路情報を含むための格納部をさらに備えることができる。
【００４９】
前述したようなルーティング装置により、６ｔｏ４ルータ１２０は、ネイティブＩＰｖ６ネットワークのトポロジーを反映して、最適の転送経路を選択できるようになる。
【００５０】
本実施形態は、ルータを介したトラフィック転送でなく、トラフィックの転送のための経路選択に関するものであるから、トラフィックの転送についての具体的な説明は省略する。
【００５１】
以下では、本実施形態において各ルータ間に転送されるメッセージについて説明する。
【００５２】
以下の説明は、ＢＧＰをルーティングプロトコルに使用する実施例を例に取って説明される。
【００５３】
第１の６ｔｏ４リレールータ１４０−１と第２の６ｔｏ４リレールータ１４０−２との間にｉＢＧＰセッション（ｓｅｓｓｉｏｎ）１を構成する。これら６ｔｏ４リレールータ１４０−１及び１４０−２は、ＩＰｖ６ルーティングプロトコルを使用して収集したネイティブＩＰｖ６ネットワークのルーティング情報を有している。
【００５４】
ＩＰｖ６  ｎｅｉｇｈｂｏｒ  ｅｓｔａｂｌｉｓｈ過程は、ＲＦＣ  １７７１と同じシーケンスを使用する。しかしながら、ＲＦＣ  １７７１に定義されたメッセージフォーマットでは、６ｔｏ４ルータ１２０なのか、６ｔｏ４リレールータ１４０なのかを区分することができないため、この情報をＢＧＰのＯＰＥＮメッセージのオプションフィールドに追加する。
【００５５】
図２は、本発明のためのルータ識別情報を含むオプションフィールドが含まれたＢＧＰオープンメッセージのフォーマットを示している。
【００５６】
図２に示されるように、本実施形態によるＢＧＰオープンメッセージは、バージョン情報フィールド（Ｖｅｒｓｉｏｎ）２００、自律システム識別子フィールド（Ｍｙ  ａｕｔｏｎｏｍｏｕｓ  Ｓｙｓｔｅｍ）２０２、生存時間フィールド（Ｈｏｌｄ  Ｔｉｍｅ）２０４、ＢＧＰ識別子フィールド（ＢＧＰ  Ｉｄｅｎｔｉｆｉｅｒ）２０６と一緒に、ルータ識別情報を含むオプションフィールド２０８〜２１４を含む。図２に示されたものは、本実施形態のためのルータ識別情報だけを含むオプションフィールドを含むＢＧＰオープンメッセージであるが、オプションフィールドは、必要に応じて他の情報を含むことができ、これに限定されるものではない。
【００５７】
ＢＧＰオープンメッセージのオプションフィールド２０８〜２１４は、特に、オプションパラメータ長さ（ＯＰＴ  ＰＡＲＡ  ＬＥＮ）２０８、オプションタイプ（ＯＰＴ  ＴＹＰＥ）２１０、オプション長さ（ＯＰＴ  ＬＥＮ）２１２及びオプション値（ＯＰＴ  ＶＡＬＵＥ）２１４を含むように構成される。オプションパラメータ長さ２０８は、オプションタイプ２１０、オプション長さ２１２及びオプション値２１４を含むオプションパラメータ２１０〜２１４の全体長さ情報を含む。オプションタイプ２１０は、該当オプション値２１４がどのような情報を含むかを示し、オプション長さ２１２は、該当オプション値２１４の長さを示す。図２のＢＧＰオープンメッセージのオプションフィールド２０８〜２１４は、該当オプションフィールドがルータの種類を知らせるためのものであることを示している。図２の該当ルータが６ｔｏ４リレールータ１４０の場合には、オプション値２１４が“１”に設定され、該当ルータが６ｔｏ４ルータ１２０の場合には、オプション値２１４が“２”に設定される。
【００５８】
第１の６ｔｏ４リレールータ１４０−１及び第２の６ｔｏ４リレールータ１４０−２は、ネイティブＩＰｖ６ネットワークのルーティング情報をＩＧＰやＩＰｖ６ネットワーク上のＢＧＰを介して獲得する。このように獲得したルーティング情報は、求めた方法によって、該当ルーティングプロトコルが選択した経路情報と一緒に、第１の６ｔｏ４ルータ１２０−１及び第２の６ｔｏ４ルータ１２０−２に転送される。これら情報は、後述する図３に示されたフォーマットを有するメッセージを通じて転送されることができる。
【００５９】
図３は、６ｔｏ４リレールータと６ｔｏ４ルータとの間の情報転送のために使われるＵＰＤＡＴＥメッセージフォーマットである。
【００６０】
図４は、図３のアップデートメッセージ中の経路属性フィールドを示している。
【００６１】
図４のルートタイプフィールド（ｒｏｕｔｅ  ｔｙｐｅ）４０６は、各経路のルートタイプ情報を含む。ルートタイプの例には、ＲＩＰ（Ｒｏｕｔｉｎｇ  Ｉｎｆｏｒｍａｔｉｏｎ  Ｐｒｏｔｏｃｏｌ）、ＯＳＰＦ（Ｏｐｅｎ  Ｓｈｏｒｔｅｓｔ  Ｐａｔｈ  Ｆｉｒｓｔ）、ＩＳ−ＩＳ（Ｉｎｔｅｒｍｅｄｉａｔｅ  Ｓｙｓｔｅｍ  ｔｏ  Ｉｎｔｅｒｍｅｄｉａｔｅ  Ｓｙｓｔｅｍ）などが挙げられる。すなわち、ルートタイプ情報は、ルーティングのために使われたルーティングプロトコルの種類を示す情報である。Ｖａｌｕｅフィールド４０８は、該当ルーティングプロトコルを使用して収集されたルーティング情報を含むことができる。Ｖａｌｕｅフィールド４０８が含むルーティング情報には、メトリック（ｍｅｔｒｉｃ）、コスト（ｃｏｓｔ）値などが挙げられる。
【００６２】
以下では、図１から図４を参照して本実施形態の動作を説明する。
【００６３】
まず、６ｔｏ４リレールータ１４０の動作について説明する。
【００６４】
６ｔｏ４リレールータ１４０は、ＩＰｖ６用のＩＧＰプロトコル（例えば、ｉＢＧＰ）を使用してネイティブＩＰｖ６ネットワーク上にトポロジーによるルーティング情報を確認し、これをＢＧＰプロトコルを使用して６ｔｏ４ルータ１２０に転送する。
【００６５】
このような、ネイティブＩＰｖ６ネットワークのトポロジーによるルーティング情報の収集及び転送は、該当ネットワークに対する最初ルーティングが行われる場合または該当ネットワークのトポロジー変化がなされる場合などに実行されることができる。一方、このようなルーティング情報の収集及び転送は、上記で言及したプロトコル以外にも、これらと同様に動作する他のプロトコルによって実行されることができる。
【００６６】
６ｔｏ４リレールータ１４０は、図３に示された、ＵＰＤＡＴＥメッセージを使用してネイティブＩＰｖ６ネットワークのトポロジー情報を、６ｔｏ４ルータ１２０に転送できる。この際、６ｔｏ４リレールータ１４０は、該当ルーティング情報をどんなＩＧＰを介して獲得したかに関する情報と各ＩＧＰ毎に目的地まで到達するためのメトリックまたはコストなどの情報を共に転送する。６ｔｏ４ルータ１２０は、これら情報を参照してネイティブＩＰｖ６ネットワークのトポロジーを考慮したルーティングを行うことができる。
【００６７】
６ｔｏ４リレールータ１４０は、新しい６ｔｏ４ルータ１２０に接続される場合、または、接続が切れてからさらに接続される場合に、自分のＲＩＢ（Ｒｏｕｔｉｎｇ  Ｉｎｆｏｒｍａｔｉｏｎ  Ｂａｓｅ）テーブルに含まれているネイティブＩＰｖ６ネットワークに対するルーティング情報を、６ｔｏ４ルータ１２０に転送することができる。
【００６８】
次に、６ｔｏ４ルータの動作について説明する。
【００６９】
６ｔｏ４ルータ１２０は、６ｔｏ４リレールータ１４０からネイティブＩＰｖ６ネットワークのルーティング情報が受信された場合には、受信されたルーティング情報に含まれた全てのＩＰｖ６経路に対して、ＩＰｖ４とＩＰｖ６経路を組み合せて経路を生成し、同一経路のメトリックやコスト値に対して最適の経路を選択し、該当経路をＦＩＢ（Ｆｏｒｗａｒｄｉｎｇ  Ｉｎｆｏｒｍａｔｉｏｎ  Ｂａｓｅ）に格納する。この際、ＩＰｖ４ネットワーク及びＩＰｖ６ネットワーク上の選択値を用いて、優先順位（ｐｒｉｏｒｉｔｙ）を付与し、自動経路選択時に使用することができる。６ｔｏ４ネットワークにおいて選択されたＩＰｖ６ネットワークに行くトラフィックは、ＦＩＢに格納されている、６ｔｏ４リレールータ１４０に伝達する。
【００７０】
図６は、本実施形態のネイティブＩＰｖ６ネットワークと６ｔｏ４ネットワークとを経由する経路を選択するためのルーティング方法を説明するためのフローチャートであり、ネイティブＩＰｖ６ネットワークのルーティング情報を収集する第１の過程（ステップＳ１０１）と、６ｔｏ４ネットワークのルーティング情報を収集する第２の過程（ステップＳ１０３）と、ネイティブＩＰｖ６ネットワークのルーティング情報と６ｔｏ４ネットワークのルーティング情報とを使用して、ネイティブＩＰｖ６ネットワーク及び前記６ｔｏ４ネットワークを経由する経路を選択する第３の過程（ステップＳ１０５）を経て行われるものである。以下、本実施形態の具体的なネイティブＩＰｖ６ネットワークと６ｔｏ４ネットワークとを経由する経路を選択するためのルーティング方法を、図５を参照しながら詳細に説明する。
【００７１】
図５は、本実施形態の最適の経路を選択できるルーティング装置が適用されたネットワークの構成図である。
【００７２】
図５に示された構成要素もやはり、前述した表１のようなネットワークアドレスを有すると仮定する。
【００７３】
表４及び表５は、図５の各構成要素が表１のようなネットワークアドレスを有する場合に、図５の第１の６ｔｏ４ルータ１２０−１及び第２の６ｔｏ４ルータ１２０−２がルーティングプロトコル（例えば、ｉＢＧＰ）を介して確保する第３のホスト１００−３までの経路選択のためのルーティング情報の一例を示す。ここで、表４及び表５に表されたメトリック値は、図５のネットワークにおいて全てのルータ間の移動に同じく“１”のメトリック値が割り当てられると仮定した場合に計算される値である。
【００７４】
まず、表４を参照して第１のホスト１００−１から第３のホスト１００−３までのトラフィック転送のための経路の選択について説明する。
【００７５】
【表４】
2006203897.tif 000006
【００７６】
表４は、第１のホスト１００−１から第３のホスト１００−３までの経路選択時に、第１の６ｔｏ４ルータ１２０−１が獲得するルーティング情報の一例である。表４及び図２から図５を参照して、第１のホスト１００−１から第３のホスト１００−３までのトラフィック転送のための経路選択について説明する。このときの経路選択は、第１の６ｔｏ４ルータ１２０−１により実行される。
【００７７】
ネイティブＩＰｖ６ネットワークのトポロジーによるルーティング情報は、表４を参照すれば、第１の６ｔｏ４リレールータ１４０−１から第３のホスト１００−３までのメトリック値が“４”であり、第２の６ｔｏ４リレールータ１４０−２から第３のホスト１００−３までのメトリック値が“５”であることを知らせるメトリック値を含む。ここで、ネイティブＩＰｖ６ネットワークのトポロジーによる情報は、第１の６ｔｏ４リレールータ１４０−１または第２の６ｔｏ４リレールータ１４０−２がルーティングプロトコルを使用して収集した情報であり、第１の６ｔｏ４リレールータ１４０−１または第２の６ｔｏ４リレールータ１４０−２から第１の６ｔｏ４ルータ１２０−１に転送される。
【００７８】
もちろん、第１の６ｔｏ４リレールータ１４０−１または第２の６ｔｏ４リレールータ１４０−２は、収集したネイティブＩＰｖ６ネットワークのトポロジーによるルーティング情報を第２の６ｔｏ４ルータ１２０−２にも転送されることができる。この際、これらルーティング情報は、図３及び図４に示されたフォーマットのメッセージに含まれて転送されることができる。
【００７９】
また、６ｔｏ４ネットワークのトポロジーによるルーティング情報は、さらに表４を参照すれば、第１の６ｔｏ４ルータ１２０−１から第１の６ｔｏ４リレールータ１４０−１までのメトリック値が“３”であり、第１の６ｔｏ４ルータ１２０−１から第２の６ｔｏ４リレールータ１４０−２までのメトリック値が“３”であることを知らせるメトリック値を含む。このルーティング情報は、第１の６ｔｏ４ルータ１２０−１が収集した情報である。
【００８０】
第１の６ｔｏ４ルータ１２０−１は、自分が収集した、６ｔｏ４ネットワークのトポロジーによるルーティング情報と第１の６ｔｏ４リレールータ１４０−１または第２の６ｔｏ４リレールータ１４０−２から受信した、ネイティブＩＰｖ６ネットワークのトポロジーによるルーティング情報を全て考慮して、例えば、表４のメトリック値が最も小さい経路、すなわち、第１のホスト１００−１から第３のホスト１００−３までのトラフィック転送のための経路を選択することができる。このように選択された経路は、第１の６ｔｏ４リレールータ１４０−１を経由する経路である。
【００８１】
次に、表５を参照して、第２のホスト１００−２から第３のホスト１００−３までのトラフィック転送のための経路の選択について説明する。
【００８２】
【表５】
2006203897.tif 000007
【００８３】
表５は、第２のホスト１００−２から第３のホスト１００−３までの経路選択時に、第２の６ｔｏ４ルータ１２０−２が獲得するルーティング情報の一例である。表５及び図２から図５を参照して、第２のホスト１００−２から第３のホスト１００−３までのトラフィック転送のための経路選択について説明する。この際、経路選択は、第２の６ｔｏ４ルータ１２０−２により実行されることができる。
【００８４】
ネイティブＩＰｖ６ネットワークのトポロジーによるルーティング情報は、表４のように、第１の６ｔｏ４リレールータ１４０−１から第３のホスト１００−３までのメトリック値が“４”であり、第２の６ｔｏ４リレールータ１４０−２から第３のホスト１００−３までのメトリック値が“５”であることを知らせるメトリック値を含む。ここで、ネイティブＩＰｖ６ネットワークのトポロジーによる情報は、第１の６ｔｏ４リレールータ１４０−１または第２の６ｔｏ４リレールータ１４０−２がルーティングプロトコルを使用して収集した情報であり、第１の６ｔｏ４リレールータ１４０−１または第２の６ｔｏ４リレールータ１４０−２から第２の６ｔｏ４ルータ１２０−２に転送される。この際、これらルーティング情報は、図３及び図４に示されたフォーマットのメッセージに含まれて転送されることができる。
【００８５】
また、６ｔｏ４ネットワークのトポロジーによるルーティング情報は、さらに表５を参照すれば、第２の６ｔｏ４ルータ１２０−２から第１の６ｔｏ４リレールータ１４０−１までのメトリック値が“４”であり、第２の６ｔｏ４ルータ１２０−２から第２の６ｔｏ４リレールータ１４０−２までのメトリック値が“２”であることを知らせるメトリック値を含む。このルーティング情報は、第２の６ｔｏ４ルータ１２０−２が収集した情報である。
【００８６】
第２の６ｔｏ４ルータ１２０−２は、自分が収集した、６ｔｏ４ネットワークのトポロジーによるルーティング情報と第１の６ｔｏ４リレールータ１４０−１または第２の６ｔｏ４リレールータ１４０−２から受信した、ネイティブＩＰｖ６ネットワークのトポロジーによるルーティング情報を共に考慮して、表５のメトリック値が最も小さい経路、すなわち、第２のホスト１００−２から第３のホスト１００−３までのトラフィック転送のための経路を選択することができる。このように選択された経路は、第２の６ｔｏ４リレールータ１４０−２を経由する経路である。
【図面の簡単な説明】
【００８７】
【図１Ａ】６ｔｏ４ネットワーク（６ｔｏ４  ｎｅｔｗｏｒｋ）とネイティブＩＰｖ６ネットワークとが接続しれたネットワークの構成図である。
【図１Ｂ】本実施形態の６ｔｏ４リレールータの構成ブロック図である。
【図１Ｃ】本実施形態の６ｔｏ４ルータの構成ブロック図である。
【図２】本実施形態のルータ識別情報を含むオプションフィールドを含むＢＧＰオープンメッセージのフォーマットである。
【図３】６ｔｏ４リレールータと６ｔｏ４ルータ間の情報転送のために使われるＵＰＤＡＴＥメッセージのフォーマットである。
【図４】図３のアップデートメッセージ中の経路属性フィールドを示す図である。
【図５】本実施形態の最適の経路を選択できるルーティング装置が適用されたネットワークの構成図である。
【図６】本実施形態のネイティブＩＰｖ６ネットワークと６ｔｏ４ネットワークとを経由する経路を選択するためのルーティング方法を説明するためのフローチャートである。
【符号の説明】
【００８８】
１００−１  第１のホスト
１００−２  第２のホスト
１００−３  第３のホスト
１２０−１  第１の６ｔｏ４ルータ
１２０−２  第２の６ｔｏ４ルータ
１３０−１  第１のＩＰｖ４ルータ
１３０−２  第２のＩＰｖ４ルータ
１３０−３  第３のＩＰｖ４ルータ
１３０−４  第４のＩＰｖ４ルータ
１５０−１  第１のＩＰｖ６ルータ
１５０−２  第２のＩＰｖ６ルータ
１５０−３  第３のＩＰｖ６ルータ
１５０−４  第４のＩＰｖ６ルータ
１５０−５  第５のＩＰｖ６ルータ
１５０−６  第６のＩＰｖ６ルータ
１４０−１  第１の６ｔｏ４リレールータ
１４０−２  第２の６ｔｏ４リレールータ
【図１Ａ】
2006203897.tif 000008
【図１Ｂ】
2006203897.tif 000009
【図１Ｃ】
2006203897.tif 000010
【図２】
2006203897.tif 000011
【図３】
2006203897.tif 000012
【図４】
2006203897.tif 000013
【図５】
2006203897.tif 000014
【図６】
2006203897.tif 000015